(57)【要約】      （修正有）【課題】室内に潜んでいるゴキブリ等の害虫を捕捉して暗渠内通路へ誘導する害虫誘導捕獲装置を提供する。【解決手段】内部通路５を備えた暗渠部３を下段に、その上段に開口溝６を備えた開渠部４からなる非導電性の二段構造の長尺溝体２の、該開渠部４の左右の側壁７，７のそれぞれの内面８，８に、電源供給部へと結線された電極用金属板９，９が上下に２枚、長手方向にわたって並列に離間配置され、該開渠部４の底面には、暗渠部３の内部通路５へ開口する誘導孔が適宜の間隔で設けられ、下部通路には害虫捕集用取出口が設けられていること、を特徴とする、害虫誘導捕獲装置である。【選択図】図２
0003211872.tif 000002
【実用新案登録請求の範囲】
【請求項１】
内部通路（５）を備えた暗渠部（３）を下段に、その上段に開口溝（６）を備えた開渠部（４）からなり、室内の壁面や壁際の床面を巡らすようにして配することができる、非導電性の二段構造の長尺溝体（２）であって、
該開渠部（４）の左右の側壁（７，７）のそれぞれの内面（８，８）には、電源供給部（１０）へと結線された電極用金属板（９，９）が上下に２枚、離間するようして長手方向にわたって並列して固定されており、
該開渠部（４）の底面（１８）には、該暗渠部（３）の該内部通路（５）へ開口する誘導孔（１２）が適宜の間隔で設けられ、
該内部通路（５）には害虫捕集用取出口（１３）が設けられていること、を特徴とする、害虫誘導捕獲装置（１）。
【請求項２】
請求項１に記載の害虫誘導捕獲装置（１）において、前記電極用金属板（９，９）に代えて、表面にアルミニウムフィルム層を備えた軟質発泡樹脂シート体（２４，２４）を上下に２枚、離間するように長手方向にわたっ並列して固定されていることを特徴とする、害虫誘導捕獲装置（１）。
【請求項３】
上部開渠部（４）の側壁上端（１４）には、側壁内面方向に折曲された鍔部（１５）が設けられていることを特徴とする、請求項１又は請求項２に記載の害虫誘導捕獲装置。
【請求項４】
前記電極用金属板（９）は、表面に着色部（１７）を備えていることを特徴とする、請求項１から請求項３のいずれか1項に記載の害虫誘導捕獲装置（１）。
【請求項５】
前記電源供給部（１０）に供給される電源が直流の一次電池あるいは二次電池からなるバッテリー（１６）であることを特徴とする、請求項１から請求項４のいずれか１項に記載の害虫誘導捕獲装置（１）。
【考案の詳細な説明】
【技術分野】
【０００１】
この考案は室内のゴキブリなどの不快害虫を捕獲するために、室内の壁際の床面や壁面に設置するゴキブリなどの害虫誘導捕獲装置であって、上部開渠内に電極板を有する暗渠と開渠の上下二段からなるゴキブリなどの害虫誘導捕獲装置に関する。
【背景技術】
【０００２】
従来からゴキブリは、厨房設備やキッチン周りあるいは室内などの隅部の暗所に巣くったり、流し台や水屋や食器戸棚などの背面や底の裏側に、時には、これらの食器戸棚の中などに巣くって徘徊し、衛生上極めて不潔である。そこで、これらのゴキブリを捕殺するために覆い状の箱体内の底面上に接着剤を塗る紙製の捕殺容器が種々販売され、これらの箱体を部屋の隅部の要所に適宜配置して捕獲している。
【０００３】
さらに、ゴキブリが食するヒドラメチルノン配合のベイド剤を設置する捕殺手段もあるが、食餌したその場で動けなるとは限らないので、効果はあっても食品への混入リスクが排除しきれない。ほかにも、ゴキブリを一挙に捕殺するために、食べ物にかからないように措置をして有機リン剤系の液体の噴霧やピレスロイド系薬剤の煙霧などを行っている。
【０００４】
ところで、ゴキブリを撃退・捕獲するための装置として、収納家具などの隙間に絶縁間隔をおいて２本の電極帯を配設し、この電極帯の２本に触れたゴキブリを感電により撃退する装置が開発されている（例えば、特許文献１参照。）。
【０００５】
しかし、このような装置は、ゴキブリなどの害虫を侵入しないようにするため、感電させるにとどまっている。しかし、感電してもショック死するとは限らないので、ショック症状を与えるにとどまることもありえる。すると、ゴキブリなどの害虫が感電ショックを受けても息をふき返したときに、このゴキブリを捕獲して捕捉しておく手段が設けられていないのであれば、ゴキブリなどの害虫は結局は逃走してしまうので、撲滅には到らないこととなる。ゴキブリなどの害虫が感電死した場合には、今度はその場で死んでしまうので、その死骸を処理する手段もなく、感電しやすい場所の近くから拾い上げなければならない。さらにそれらを捕獲できたことや死んだことを明示的に確認する手段が特段設けられてはいないとなれば、駆除や撃退ができているのかの成果を把握しづらいものとなっている。
【０００６】
そこで、本願考案者らは、誘導捕獲が可能な装置として、２条のテープ状電極ａ、ｂを離間して貼着した絶縁シートからなる電極シートを上部通路に配し、その下部に絶縁シートからなる下部通路を有する溝状体に形成し、この溝状体を厨房などの壁もしくは床に設置して溝状の電極受皿として張り巡らし、この溝状体の溝状の電極受皿からなる上部通路の要所にゴキブリなどの害虫を捕獲する捕獲穴を開口し、下部通路をゴキブリの貯留部としたゴキブリなどを害虫誘導捕獲装置を考案している（特許文献２参照）。
【０００７】
たしかに上記の考案により、ゴキブリを感電させて溝状体内で捕捉し、捕獲穴へと誘導捕獲することができる。しかしながら、開示されているテープ状電極の金属箔は、わずか１０μｍ前後の薄いアルミ箔であることから、導電性はいいものの、強度が弱く、厨房等でフォークなどの硬いものが落下して傷つけると簡単に断線してしまうなど、長期使用には支障があった。さらに、害虫誘導捕獲装置を実際に導入設置する施設の多くは、衛生管理に特に留意する必要があるレストランやホテル等の厨房等であり、業務上使用する関係で使用頻度も高く、それだけに物が落下接触するなどの頻度も増すことから、溝状体内のテープ状電極が破損されるリスクが生じうる。
【０００８】
しかし、テープ状電極が脆弱で傷つきやすいものであると、電極が断線して電気が導通しなくなるので、２条の電極間をゴキブリが跨いでも、短絡して感電することがなく捕捉すできなくなってしまう。また、断線せずとも、極端に一部が細くなると、その部分だけ電気抵抗が上昇するので、破損次第では発熱等の危険も考慮しなければならない。もちろん、安全上火災につながる要因はできるかぎり排除する必要があるので、さらなる工夫が望まれている。
【先行技術文献】
【特許文献】
【０００９】
【特許文献１】特開昭６２−３２８３６号公報
【特許文献２】実用新案登録第３１３４９１３号公報
【考案の概要】
【考案が解決しようとする課題】
【００１０】
そこで、本考案が解決しようとする課題は、厨房や居室に設置の食器戸棚などの家具の裏側や下側や内部に潜んでいるゴキブリなどの不快昆虫が深夜などに部屋内を徘徊する際に、その部屋の壁や床の表面側あるいは裏面側の壁際や床際の領域に、本考案の捕獲装置を張り巡らせるように設置し、離間した上下の電極板を跨ぐようにして短絡させた害虫のゴギブリ等に感電による電気ショックを与え、ショックから生き返って動き出したゴギブリ等を上部の溝から内部の通路に誘導孔に誘導して、まとめて捕獲処理できる装置を提供することである。さらに、電極が破損したり断線したりしにくく、長期にメンテナンスせずとも安定的に継続的に使用しうる装置を提供することである。また、人が作業に出入りする場所に設置していても接触により極度に感電したりしないような、安全な装置を提供しうるものであることを目的としている。
【課題を解決するための手段】
【００１１】
上記の課題を解決するための第１の手段は、内部通路（５）を備えた暗渠部（３）を下段に、その上段に開口溝（６）を備えた開渠部（４）からなり、室内の壁面や壁際の床面を巡らすようにして配することができる、非導電性の二段構造の長尺溝体（２）であって、該開渠部（４）の左右の側壁（７，７）のそれぞれの内面（８，８）には、電源供給部（１０）へと結線された電極用金属板（９）が上下に２枚、離間するようして長手方向にわたって並列して固定されており、該開渠部（４）の底面（１８）には、該暗渠部（３）の該内部通路（５）へ開口する誘導孔（１２）が適宜の間隔で設けられ、該内部通路（５）には害虫捕集用取出口（１３）が設けられていること、を特徴とする、害虫誘導捕獲装置（１）である。
【００１２】
ここで開渠部、暗渠部という語を用いているが、これらは溝として害虫が通る路の意味で用いており、上部が閉塞した四方が囲まれた形状か、上部が開放された状態かの形状的特徴を示すために用いている。暗渠には溝の内部に水を通水する水路の意味もあるが、本考案では、水を通水して用いることは意味しておらず、あくまで害虫が通る路を示すにすぎない。また、暗渠部が埋設されることが必要なわけではなく、本考案の装置は、壁面もしくは壁際の床面に載置されて用いることのできるものである。
【００１３】
そして、並列された電極用金属板（９，９）、すなわち上部電極用金属板（９ｂ）と下部電極用金属板（９ａ）のうち、下部電極用金属板（９ａ）については、底面（１８）上に設けた金属板を介して断面凵の字状となる金属板を用いることができ、これにより左右側壁の下部電極用金属板（９ａ，９ａ）が一体的になっていてもよい。
【００１４】
さて、この第１の手段によると、害虫誘導捕獲装置（１）は、室内の壁面もしくは壁際の床面に、長尺溝体（２）を沿わせるようにして適宜屈曲させながら配しておくこととなる。側壁（７）の内面（８）上には、電源供給部（１０）からの電気を電極用金属板の端子部（１１）へと結線し、離間して並列配置されている上下の電極用金属板（９，９）は、短絡可能に待機した状態になっている。そして、上部の開口溝（６）内にゴキブリ等の害虫が侵入し、いずれかの側壁内面（８）に設けられた上下２枚の電極用金属板（９，９）の双方に接触すると、短絡した電気が体内を通電して感電することとなる。
【００１５】
しかし、感電で死ななかったゴキブリ等の害虫は、開口溝（６）の側壁（７）を乗り越えようとすると再度感電するので上方へと脱出することができず、室内壁面等に沿って張り巡らされた長尺溝体（２）の開渠部（４）の底面（１８）上を徘徊することとなる。
【００１６】
すると、やがて底面（１８）に設けられた誘導孔（１２）に行き着いたゴキブリ等の害虫は、この孔から暗渠部（３）の暗い内部通路（５）へと逃れるように侵入し、その後は内部通路（５）を徘徊することとなるが、害虫捕集用取出口（１３）は回収時以外は閉止されているので、内部通路（５）を徘徊するしかなく、脱出することなく捕捉されたままとなる。
【００１７】
なお、絶縁された離間部位は、水分等の侵入で短絡しにくくするために、たとえば、絶縁樹脂の表面にオイルを含浸あるいは塗布することで、撥水性としたものや、撥水性のプラスチック樹脂などを用いることとして、害虫以外の要因で短絡してしまわないようにしておくことができる。
【００１８】
本考案の第２の手段では、第１の手段の害虫誘導捕獲装置において、電極用金属板のような硬いステンレス鋼板などの板材を２枚上下に並列配置する構成に代えて、表面にアルミニウムフィルム層を備えた軟質発泡樹脂シート体（２４）を上下２枚、開口溝側壁内面（８）に、離間させて長手方向に並列配置させたことを特徴とする害虫誘導捕獲装置（１）である。
【００１９】
ステンレスの板材などは硬く加工が容易ではないが、帯状に細く裁断仕上げして得たアルミニウムが表面に蒸着されるなどした軟質発泡樹脂シート体（２４）を、側壁（７）の内面（８）に貼付するなどすることができるので、取付作業性が高く容易である。また、設置現場にあわせて長尺溝体の長さや屈曲向きを調整しなければならないところ、アルミニウムが表面に蒸着されたような軟質発泡樹脂シート体であれば、ハサミで長さを整えながら貼付できるなど、好適であるばかりか、軟質発泡樹脂シートであることから、アルミニウムに触れる硬質の落下物などのショックを吸収して、破損、破断しにくいものとなる。アルミニウムが電気を導通するので、電極として用いることができ、発泡樹脂が軟質なので、アルミニウムと一体になったまま破断しないのである。軟質発泡樹脂シート体は、たとえば、ポリエチレン、ポリスチレンやポリオレフィンの発泡フォームなどを用いることができ、表面のアルミニウムフィルム層は蒸着以外の手段で積層されたものでもよい。
【００２０】
さて、本考案の第３の手段は、上部開渠部（４）の側壁上端（１４）には、側壁内面方向に折曲された鍔部（１５）が設けられていることを特徴とする、前記第１の手段に記載の害虫誘導捕獲装置である。左右の側壁（７，７）の各上端に設けられた鍔部（１５，１５）は、側壁の内面側へと内側に折り曲げられたような形状であるが、その鍔部同士の間は、ゴキブリなどの害虫が入り込むことができる大きさの間隙を有するものとなっている。鍔部があることで、側壁の内面の電極用金属板に人が触れにくくなっており、感電しにくいものとなっている。
【００２１】
本考案の第４の手段は、前記電極用金属板（９）は、表面に着色部（１７）を備えていることを特徴とする、前記第１から第３のいずれかの手段に記載の害虫誘導捕獲装置（１）である。
【００２２】
表面に着色部（１７）を設けて塗装された状態となると、導電性が悪くなるので、感電する際のショックが低減される。そこで、うっかり人が触ってしまった場合でも、激痛が緩和されるなどして、安全性が増すものとなる。
【００２３】
なお、電源供給部（１０）に供給される電源が交流１００Ｖの場合には、一方の電極用金属板（９ａ）の端子部（１１）までの配線上に抵抗とネオン管を直列に配するなどしておき、他方の電極用金属板（９ｂ）の端子部（１１）までの経路上にアースを接続するなどしておくことができる。こうした抵抗やネオン管があると、電気がそれらに費消されて、感電するショックを和らげることとなる。
【００２４】
本考案の第５の手段は、前記電源供給部（１０）に供給される電源が直流の一次電池あるいは二次電池からなるバッテリー（１６）であることを特徴とする、第１から第４のいずれかの手段に記載の害虫誘導捕獲装置（１）である。
【００２５】
バッテリー（１６）は乾電池あるいは充放電可能な蓄電池などの電池であればいずれも適宜用いることができる。電源供給部（１０）に設けた回路によって、直流の電池からの電気を一旦トランス等で昇圧後に再度直流に整流した後、これをコンデンサに保持して供給可能に待機させ、害虫が上下２枚の電極用金属板に接触したときに、電荷を与えうるものとなっている。
【００２６】
さて、蚊とり等に用いる電撃ネットなどの器具では、一般的に電池の電気をトランス等で１０００〜１５００ボルト程度に昇圧し、昇圧後に直流に整流した後、これをコンデンサに保持し、害虫が上下２枚の電極用金属板に接触したときに、電荷を一気に放電して即死させるような、大きな電気ショックを与える仕組みとなっている。本考案でも、そのような高い電圧で放電できるように供給することは可能である。もっとも、そこまで高い電圧としてしまうと、暗渠内の通路に害虫が移動することなく、その場で死んでしまうことから、移動するために通路内を徘徊するといったことがなくなり、かえって捕集して回収する手間がかかってしまうことともなる。そして、人がうっかり電極板に触れてしまったときに激痛を与えないようにするには、昇圧して威力を増すことばかりが望ましいとはいえない。本考案も、人の出入りする場所においては、高く昇圧してもよいが、安全に配慮する場面では、高くしすぎないことができる構造の装置は有用性がある。
【００２７】
また、高電圧に昇圧することとなると、たとえば、低圧側のトランジシタや、高圧側のコンデンサの品質や要求性能がシビアとなる。また、安価な部品を用いると、部品自体が劣化しやすく、壊れたり性能低下が顕著にあらわれやすい。ところが、本考案のように過度に昇圧することが必ずしも必要とされない構造であれば、電源供給部（１０）の回路における部品への負荷も小さくなり、直流のバッテリーを用いる場合でも安定的に長期の運用が可能となり、設置場所の自由度があげられることとなる。
【考案の効果】
【００２８】
本考案によると、ゴキブリ等の害虫が壁面をつたって下方から上方に移動しようとすることを阻止することができ、上部の開口溝の側壁内面に上下に離間設置された電極用金属板に触れた害虫が感電し、開口溝の内部を脱出させることなく弱らせたまま開口溝内に留めおくことができるので、ゴキブリ等の害虫を逃さずに弱らせて捕捉することができる。
【００２９】
そして、感電して開口溝に落ちた害虫がショックから立ち直り、開口溝底面を移動するうちに、開口溝底面に適宜も受けられている誘導孔から暗渠部の内部通路内へと誘導され、内部通路内に留まることとなる。そこで、内部通路に設けられた害虫捕集用取出口から、まとめて捕獲処理しうるものとなる。
【００３０】
さらに、電極が金属製の板材であることから、人の出入りがある厨房等で上から物が落下しても破断しにくく、電極が断線したり異常加熱したりしないので、より安全であり、長期に安定して使用しうる。もしくは、表面にアルミが蒸着された軟質発泡樹脂シート体であれば、落下物のショックを吸収するので、破損、破断しにくく、同様に断線しにくいものとなるので、長期に安定使用ができる。
【００３１】
また、開渠部の側壁上端に内側に向いた鍔部があると、その隙間から開口溝へとゴキブリ等が侵入する入り口となり、逃亡、脱出がしにくくなる。また、開口溝の側壁内面に設けられている電極用金属板にうっかり人が触ることが生じにくくなるので、人の接触による感電トラブルが減少することともなる。
【００３２】
また、電極用金属板の表面に着床部が設けられると、無塗装時よりも導電性が低くなるので、感電する際のショックが緩和され低減される。すると人の接触による感電時の激痛が緩和されるなど、安全性が増す。また、ＡＣ電源などを用いる場合であっても、感電ショックが緩和されることとなる。そして、ゴキブリ等の害虫がその場で即死せずに、内部通路へと移動することとなるので、内部通路からの捕集が容易となる。
【００３３】
また、直流バッテリーを用いることで、設置場所を選ぶことなく実施できるものとなるので、自由度があがる。さらに、本発明と直流バッテリーを組み合わせる場合には、開口溝から内部通路へと弱らせたゴキブリを誘導して逃亡させずに捕捉しておくことができるので、電極との接触でで感電死させずともよく、感電死するほどに過度に昇圧する必要がなくなる。すると、部品への負荷を抑えることができるので、電源供給部の回路が故障しづらくなり、装置を長持ちさせることができることとなる。
【図面の簡単な説明】
【００３４】
【図１】本考案の害虫誘導捕獲装置を配設した部屋と本考案の実施例の設置状態を示す模式図である。図１（ａ）は室内の俯瞰図で、図１（ｂ）は長尺溝体を屈曲させて設置していく様子を示す斜視図である。
【図２】本考案の上部に開口溝と下部に内部通路を備えた長尺溝体の実施例の模式図である。
【図３】本考案の長尺溝体に曲折用の縦筒体を組み合わせた他の実施例の模式図である。
【図４】本考案の長尺溝体の電極金属板の配置構成を示す他の実施例の模式図の斜視図である。
【図５】本考案において交流電源を用いた場合を模式的に示す配線図である。
【考案を実施するための形態】
【００３５】
本考案の実施の形態について図面を用いて適宜説明する。以下害虫はゴキブリを例に説明する。図１（ａ）は、厨房設備（２１）と食器棚（２３）を置いた居室（２２）からなる部屋（２０）を上方から俯瞰した害虫誘導捕獲装置（１）の長尺溝体（２）の配置図である。部屋（２０）の床や厨房設備や食器戸棚（２３）等の裏面や下面あるいは内部に潜んでいた、あるいは玄関等から侵入してきた、不快昆虫であるゴキブリ等の害虫は、夜間などに部屋、特に厨房などの台所を徘徊する際には、部屋の壁や床のなかでも、特に床際や壁際を移動しがちである。そこで、図２に示すように、暗渠部（３）と開渠部（４）とからなり、開渠部（４）の開口溝（６）の側壁（７）の内面（８）に上下に２枚の電極用金属板（９，９）を備えた長尺溝体（２）を、適宜部屋の壁際の床や壁の下方や食器棚（２３）の下端に張り巡らすようにして、図１（ｂ）に示すような害虫誘導捕獲装置（１）として設置される。
【００３６】
これらの電極用金属板（９）は、左右それぞれの側壁（７，７）に、長手方向に上下２段に離間配置して配されており、電極用金属板の端子（１１）は、電源供給部（１０）へと結線されており、交流、あるいは電池からの直流の電気が供給されている。
【００３７】
そして、この電極用金属板は、アルミ箔のような薄くて破れやすい金属箔ではなく、鋼板や銅板などの金属板が好適である。なお、厨房のような湿気や水分の多い場所では、衛生上の観点からも、腐食に強いＳＵＳ３０４のステンレス鋼板であって、板厚は０．１ｍｍ程度とすることが好適である。もっとも、ステンレス鋼板は加工が難しいので、板厚が０．３ｍｍを超えると現場におでの加工が難しくなり、電極用金属板（９）が開渠部（４）の開口溝（６）の側壁内面（８）から浮き上がりやすくなるなどして、施工しづらくなる。
そして、電極用金属板の板幅は、側壁の内面に上下に２枚が収まる幅とすればよく、たとえば１枚の板幅は５〜１５ｍｍ程度とし、２枚の電極用金属板（９ａ，９ｂ）同士は、１ｍｍ程度離間させて互いに接触させることなく、長手方向に並列させている。なお、離間の幅はゴキブリの前後の足の幅よりも小さくなければ短絡しないので、害虫のサイズも踏まえて設定される。
【００３８】
なお、離間した空間ならびに金属板の裏面に配する絶縁樹脂材料は、プラスチック樹脂などであれば好適に用いることができるが、あらかじめオイルをなじませるなどして、撥水性を付与しておくと、水分の離間空間への侵入があっても水をはじいて水分が溜まることがないので、ゴキブリ以外の要因で短絡することによる効果損失が避けられる。プラスチック樹脂の表面に含浸させたり、塗布したり、あるいは、オイルを塗布せずとも、材質的に表面が撥水性のプラスチック樹脂を用いるなどしてもよい。
【００３９】
開口溝（６）には電極用金属板（９ａ，９ｂ）が内面（８）に貼られているが、２枚の板が短絡してしまわないように、開口溝の部材は、非導電性材料が用いられている。たとえば、プラスチック樹脂やボール紙といった強度のある電気を通しにくい素材である。上段の開渠部（４）と下段の暗渠部（３）とは、同一素材でもよいし材質を変えてもよいが、害虫が逃走しないように隙間を設けないように一体化されている。
【００４０】
さて、側壁内面（８）の上下２枚の電極用金属板（９ａ，９ｂ）にゴキブリが触れると、離間していた電極同士が短絡して瞬間的に電気がゴキブリの体内を流れる。すると、感電したゴキブリには電気ショックが加わる。ショック状態になって壁を上方に脱出しようとしたゴキブリは側壁を上れずに落下し、脱出できないこととなる。その際、感電死するほどの大きなショックを与えることもできるが、本発明では、必ずしも仕留める必要はない。ショックから息をふき返したゴキブリは、側壁内面（８）の電極に触れると感電することから、側壁を登ることはできず、開口溝（６）の底面（１８）を弱ったままに徘徊することしかできないので、広い意味では捕捉された状態となる。さらに、以下のとおり弱ったままでも歩けるので、そのうち誘導孔（１２）から内部通路（５）へと誘導されて逃走できない状態で捕集された後、掃除機で吸引することで一気に捕獲できることから、その場で感電しさせる必要がないのである。
【００４１】
開渠部（４）の開口溝（６）から暗渠部（３）の内部通路（５）へは、誘導孔（１２）を介して繋がっている。たとえば、誘導孔（１２）を長手方向の開口溝の中央に設けるとき、部屋に合わせて屈曲する長尺溝体（２）においては、各辺の中央に誘導孔（１２）がひとつ開口することとなる。ゴキブリは、開口溝（６）の底面（１８）を徘徊するうちに誘導孔（１２）に達し、そこから内部通路（５）へと入り込むようになっている。
【００４２】
内部通路には、長手端部、すなわち、屈曲箇所の周辺あたりに、害虫捕集用取出口（１３）を適宜設けてある。これらの害虫捕集用取出口（１３）は、たとえば、内側に可動自在な弁状蓋板となっている。すると、内部からゴキブリは脱出できず、内部通路内を右往左往する逃走することがないので、一方の端から追い立ててれば、内部通路内を他方の端部に向かって移動する。その際、弁状蓋体は内部に押し開くことができるので、この部分に掃除機の吸引管を挿通して接続しうるようにしておき、移動してきた内部に潜むゴキブリをま掃除機の吸引により一気に捕獲することができるようになっている。
【００４３】
なお、開口溝の側壁上端は、内側に向かって鍔が５〜１０ｍｍ程度折れ曲がったようにしておくことが好適である。上端が内向きに折れ曲がっていると、ゴキブリが開口溝に侵入した際、いわば武者返しとなって、感電して驚いても上方にうまく脱出できずに底面（１８）に落下する。もちろん、図４に示すように、こうした折れ曲がり部はなくても本考案は実施できるが、図２のように、こうした折れ曲がりがあると、人がうっかり電極を短絡させて感電することも避けやすくなる。
【００４４】
また、誘導孔（１２）の周囲には、内部通路に向かって５ｍｍ程度、内部鍔を延ばすようにすることができる。すると、武者返しと同様に、誘導孔（１２）からの逃走が難しくなる。内部鍔は誘導孔から真っ直ぐ下に延びることもできるが、誘導孔の径よりも内部鍔の下端の口径が拡がるように、ラッパ状に末広がりな形状になっていてもよい。さらに、図示しないが、誘導孔（１２）の上部にひさし状に臨む弁状の蓋部を周囲に空隙を設けて配設し、掃除機でゴキブリを吸引する際に、この弁状の蓋部が開口溝に接触して閉止し、下部通路３ｆ内の真空度を高めることができるものとしておくと、一気に捕獲するゴキブリをより効率よく吸引することができる。
【００４５】
電極板は、たとえば顔料系の塗料で塗装されていてもよい。ステンレス鋼板であれば、無塗装でも腐食はないが、腐食しやすい金属板においては、塗装は耐食性を得ることができる。もっともここで塗装するのは、塗装によって表面を軽く覆うことによって、金属板からの導電性を若干下げることを企図しており、感電ショックが弱まることで、人体が接触したときのショックを緩和するといった安全性の観点からの措置である。また、ＡＣ電源からの配線に接触してゴキブリが感電死してしまうのではなく、弱る程度に留めることで、歩いて自分から内部通路に移動するほうが、拾い集めるよりも回収に都合がよいといえる。
【００４６】
なお、電極板の配置であるが、図２に示すように、側壁内面に長手方向に上下に２本配置することができる。こうすると、底面（１８）を移動するゴキブリが感電してすぐに弱りすぎることがないので、誘導孔（１２）から内部通路（５）へと弱りつつも移動しうることとなる。
【００４７】
なお、電極の配置は、側壁下部と底面とを断面凵の字状に折り曲げた１枚の金属板で構成した下部電極用金属板（９ａ）であってもよく、左右側壁の上部電極用金属板（９ｂ，９ｂ）と離間配置することでもよい。このようにすると、底面と側壁上部との双方に触れただけで感電するので、感電する率がやや高くなるので、開口溝からの脱出がより困難となる。ただし、ゴキブリは感電間隔が短くなるので、弱りすぎると歩かず、内部通路に移動しなくなるので、誘導孔（１２）の位置や離間間隔は適宜調整する。
【００４８】
電極を金属板に代えて表面にアルミニウム層を備えた軟質発泡樹脂シート体（２４）とする場合は、たとえば１ｍｍ程度の厚みの軟質発泡樹脂シート体を用いることができる。こうしたアルミニウム層を備えた軟質発泡樹脂シート体としては、たとえば、クーラーバッグのような内表面に断熱加工が施された袋体に用いられたり、キャンプ用の寝具の下に敷く断熱マットなどにも用いられるような素材を流用することもでき、細長く裁断すれば適用することができる。
【００４９】
図３に他の実施の形態を示す。本考案の長尺溝体（２）を部屋の壁や床に張りめぐらす際に、直線状の長尺溝体を屈曲させて壁に沿わせてることが容易となるように、連結ピボットのような縦筒体（１９）を長尺溝体（２）の端部に嵌着して、角度転換を容易なものとする。なお長尺溝体は切断することで長さを調整する。なお、この縦筒体（１９）にも上部の側壁内面にテープ状の電極を上下に離間して貼付するなどして、感電させることができるようにして、ゴキブリの逃亡を防ぐものとする。図３に例示するものでは、縦筒体は、その内部に中底を有しており、中底の下側の空間に、ゴキブリを内部通路に誘導する誘導孔を開口している。
【００５０】
さて、この害虫誘導捕獲装置（１）の電極用金属板は、図５に示すように、交流電源とつなぐようにすることができる。その場合、この端子部（１１）には、一端に電源供給部（１０）として、例えば１００Ｖの交流電源が接続されている。この端子部（１１）への配線には抵抗とネオン管を直列に配設しておくと、人が触っても安全な程度に電圧が低減されるので安全上好適である。他方の配線にはアースを安全のために設けておくとよい。もちろん、これらの電源部に代えて、乾電池等からの電源部を形成することもできる。
【符号の説明】
【００５１】
１  害虫誘導捕獲装置
２  長尺溝体
３  暗渠部
４  開渠部
５  内部通路
６  開口溝
７  側壁
８  内面
９  電極用金属板
９ａ  下部電極用金属板
９ｂ  上部電極用金属板
１０  電源供給部
１１  端子部
１２  誘導孔
１３  害虫捕集用取出口
１４  側壁上端
１５  鍔部
１６  バッテリー
１７  着色部
１８  底面
１９  縦筒体
２０  部屋
２１  厨房
２２  居室
２３  食器棚
２４  軟質発泡樹脂シート体
【図１】
0003211872.tif 000003
【図２】
0003211872.tif 000004
【図３】
0003211872.tif 000005
【図４】
0003211872.tif 000006
【図５】
0003211872.tif 000007